(57)【要約】  樹脂製の薬液タンクに貯留されている薬液に関する各種情報を薬液タンクの外側から容易に確認できる検体処理装置の提供を目的とする。  生物から採取した検体としての組織片が挿入された処理槽に、樹脂製の複数の薬液タンク２４の各々に貯留された各種の薬液が順次給排され、前記組織片を観察し易いように処理する組織片処理装置であって、薬液タンク２４の一面側から投光され、薬液タンク２４の樹脂壁を通過した光が薬液タンク２４内に貯留されている薬液内で乱反射して、薬液タンク２４の他面側から薬液量が認識できるように、薬液タンク２４の一面側に投光手段としての発光ダイオード４８が設けられていることを特徴とする。
2009008331.tif 000002
【特許請求の範囲】
【請求項１】
生物から採取した検体が載置された処理部に、樹脂製の複数の薬液タンクの各々に貯留された各種の薬液が順次給排され、前記検体を観察し易いように処理する検体処理装置であって、
前記薬液タンクの少なくとも一面側から投光され、前記薬液タンクの樹脂壁を通過した光が薬液タンク内に貯留されている薬液内で乱反射して、前記薬液タンクの他面側から薬液に関する各種情報が認識できるように、前記薬液タンクの一面側に投光手段が設けられていることを特徴とする検体処理装置。
【請求項２】
検体処理装置が、顕微鏡標本用の組織片が挿入された処理槽に、樹脂製の複数の薬液タンクの各々に貯留された各種の薬液が順次給排される組織片処理装置である請求項１記載の検体処理装置。
【請求項３】
複数の薬液タンクの各々に投光手段が設けられている請求項１又は請求項２記載の検体処理装置。
【請求項４】
投光手段が、発光ダイオードである請求項１〜３のいずれか一項記載の検体処理装置。
【請求項５】
複数の薬液タンクの一面側に設けられている投光手段が、発光色を変更できる可変色投光手段であって、前記可変色投光手段の発光色を制御する制御部が設けられている請求項１〜４のいずれか一項記載の検体処理装置。
【請求項６】
可変色投光手段が、赤色発光ダイオード、緑色発光ダイオード及び青色発光ダイオードのうちの少なくとも二種によって構成されている請求項５記載の検体処理装置。
【請求項７】
複数の薬液タンクが扉付の収容部内に収容され、前記収容部に収容された各薬液タンクの他面側に対応する扉が着色された透明扉である請求項１〜６のいずれか一項記載の検体処理装置。
【請求項８】
投光手段からの光を遮光する浮き子が薬液タンク内に投入されている請求項１〜７のいずれか一項記載の検体処理装置。
【発明の詳細な説明】
【技術分野】
【０００１】
本発明は検体処理装置に関し、更に詳細には生物から採取した検体が載置された処理部に、樹脂製の複数の薬液タンクの各々に貯留された各種の薬液が順次給排され、前記検体を観察し易いように処理する検体処理装置に関する。
【背景技術】
【０００２】
人体や動物等の生物から採取した検体を観察し易いように処理、例えば人体や動物等の生物から採取した検体としての組織片から顕微鏡用標本を作製する際には、下記特許文献１に掲載されている様に、図６に示す組織片処理装置１０が用いられる。かかる組織片処理装置１０では、処理槽１２に収容された組織片に対して、固定、脱水、脱脂・置換、パラフィン包埋と言った種々の処理を施す。この処理では、組織片が収容された処理槽１２内にホルマリン、アルコール、キシレン及びパラフィン等の各種薬液が順次給排される。
これら薬液のうち、ホルマリン、アルコール及びキシレンの各々は、通常、樹脂製で且つ角形の薬液タンクに貯留されて組織片処理装置１０のタンク収容部１４内に収容されている。この収容部１４には、透明扉１４ａが設けられている。一方、パラフィンは、室温で固化するため、通常、タンク収容部１４と別体に形成され、所定温度に保持されたパラフィン収容部１６内にパラフィンが貯留されたパラフィン容器が収容されている。かかる各種の薬液が貯留された薬液タンク及びパラフィン容器からは、制御部１８からの信号によって所定の薬液が処理槽１２内に順次給排される。
この制御部１８の設定はパネルに設けられたテンキー２０から行うことができ、設定結果等はモニター部２２でモニターできる。
【特許文献１】特開２０００−３４６７６７号公報  図６に示す組織片処理装置１０では、ホルマリン、アルコール及びキシレン等の各種薬液が貯留された四角形状の薬液タンクは、図７に示す様に、タンク収容部１４内に収容されている。タンク収容部１４内には、複数の薬液タンク２４，２４・・が三段に収容されている。かかる薬液タンク２４，２４・・の各接続口と接続される接続ソケット３０ａがタンク収容部１４の仕切板４２に取り付けられており、接続ソケット３０ａは送液管２８によって処理槽１２と接続されている。薬液タンク２４，２４・・の各々と処理槽１２とを接続する送液管２８の途中には、制御弁（図示せず）が設けられており、制御部１８（図６）からの信号によって制御弁が開閉して、処理槽１２に薬液タンク２４内の薬液を給排する。  また、同一段に収容されている薬液タンク２４，２４・・の各接続口は、排ガスヘッダー３０によって覆われており、薬液タンク２４，２４・・の各接続口から漏出した薬液ガスは集合される。かかる各段に設けられた排ガスヘッダー３０，３０，３０のうち、最上段の排ガスヘッダー３０は中段の排ガスヘッダー３０に接続管３２によって接続されており、中段の排ガスヘッダー３０も最下段の排ガスヘッダー３０に接続管３２によって接続されている。最下段の排ガスヘッダー３０は、排ガス管３４によって活性炭等の吸着剤が収容された排ガス処理部３６に接続されており、排ガスヘッダー３０，３０，３０で凝縮しなかった薬液ガスは、排ガス処理部３６で吸着される。  一方、排ガスヘッダー３０，３０，３０で凝縮した凝縮液４０は、最下段の排ガスヘッダー３０に集合され、廃液タンク３８に貯留される。  ところで、組織片処理装置１０のタンク収容部１４内に収容されている薬液タンク２４，２４・・の各々に貯留している薬液は、その薬液量や組織片処理の工程で生じる濃度変化等によって新たな薬液との入替えや補充が必要となる。このため、薬液タンク２４を、その接続口と排ガスヘッダー３０との接続を外してタンク収容部１４から取り出すことを要する。更に、薬液を交換した薬液タンク２４をタンク収容部１４内に挿入し、再度、薬液タンク２４の接続口と排ガスヘッダー３０とを接続することを要する。  かかる薬液タンク２４の接続口と排ガスヘッダー３０との取り外し・接続を容易に行うべく、前掲の特許文献１では、図８に示す様に、薬液タンク２４の接続プラグ２４ａと排ガスヘッダー３０に設けられた接続ソケット３０ａとをワンタッチで行うことを提案している。
【発明の開示】
【０００３】
前掲の特許文献１で提案された図６〜図８に示す組織片処理装置１０によれば、薬液タンク２４の接続プラグ２４ａと接続ソケット３０ａとをワンタッチで行うことができ、薬液タンク２４に貯留されている薬液の交換の作業等を容易に行うことができる。
ところで、図６〜図８に示す組織片処理装置１０では、通常、処理槽１２内に複数の組織片を挿入し、長時間の自動運転で処理を行う。その際に、組織片処理装置１０の運転状況の監視が時々される以外は、原則として無人の自動運転である。
この様に、組織片処理装置１０が長時間の無人状態での自動運転で処理槽１２内に挿入された複数の組織片の処理を無事終了するには、タンク収容部１４内に収容されている薬液タンク２４，２４・・に、予め所定の種類の薬液が所定量貯留されていることを確認することが重要である。予め定められた薬液が使用されないで処理されると、処理が無効になるおそれがあるからである。更に、薬液量が不足すると、その薬液を使用する処理工程が終了せず、組織片を乾燥から守るため、処理槽１２内に別の薬液タンクから薬液を入れた後、停止状態となるからである。
この様に、組織片処理装置１０が停止状態となった場合には、不足した薬液の薬液量を補充した後、運転を再開することを必要とし、運転停止していた時間が無駄時間となる。
このため、所定時間内に組織片処理が終了せず、その後の作業に影響を及ぼすおそれがある。
また、処理槽１２に充填する薬液量が不足した状態で組織片処理装置１０が長時間停止していた場合、その組織片は顕微鏡用としては使用できなくなるおそれもある。
更に、複数回の処理に使用する薬液は使用回数が増加すると、組織片の成分等が混合されたり、他の薬液の混合比率が高まったりして、薬液が汚れたり、薬液自身の濃度が低下して、処理した組織片の品質に悪影響を及ぼすおそれがある。
かかる組織片処理装置１０で用いられる薬液タンク２４としては、一般的に樹脂製の薬液タンクが用いられている。
一方、薬液タンク２４，２４・・に貯留される薬液としては、ホルマリンやキシレン等の有機溶剤が用いられる。このため、キシレン等の有機溶剤を貯留する樹脂製の薬液タンク２４としては、その耐溶剤性等を向上すべく、結晶性の樹脂から成る肉厚の薬液タンク２４が用いられる。このため、薬液タンク２４は樹脂壁の全体が白濁して不透明となり、薬液タンク２４に貯留されている薬液量を、薬液タンク２４の外側から視認でき難くなる。特に、何回か使用された薬液は、組織片中の成分等が混合されて白濁し、その薬液量は不透明の薬液タンク２４の外側から視認することが更に困難となる。  
しかも、白濁した薬液では、組織片中の成分等の混合による薬液の汚れの変化の程度の視認も困難となる。
そこで、本発明は、貯留されている薬液の薬液量等を外側から容易に視認でき難いという樹脂製の薬液タンクを具備する従来の検体処理装置の課題を解決し、樹脂製の薬液タンクに貯留されている薬液量や薬液の汚れの程度を薬液タンクの外側から容易に確認でき、検体処理の途中で薬液量不足の原因で運転停止すること、及び処理された検体の品質が低下するとの懸念を解消し得る検体処理装置を提供することを目的とする。
本発明者は前記課題を解決すべく検討を重ねた結果、貯留されている薬液量が外側から視認し難い樹脂製の肉厚の薬液タンクでも、薬液タンクの一面側から光を投光すると、薬液タンクの他面側から貯留されている薬液量を確実に視認できることを見出し、本発明に到達した。
すなわち、本発明は、生物から採取した検体が載置された処理部に、樹脂製の複数の薬液タンクの各々に貯留された各種の薬液が順次給排され、前記検体を観察し易いように処理する検体処理装置であって、前記薬液タンクの少なくとも一面側から投光され、前記薬液タンクの樹脂壁を通過した光が薬液タンク内に貯留されている薬液内で乱反射して、前記薬液タンクの他面側から薬液に関する各種情報が認識できるように、前記薬液タンクの一面側に投光手段が設けられていることを特徴とする検体処理装置にある。
かかる本発明において、検体処理装置としては、顕微鏡標本用の組織片が挿入された処理槽に、樹脂製の複数の薬液タンクの各々に貯留された各種の薬液が順次給排される組織片処理装置が好適である。
また、複数の薬液タンクの各々に投光手段を設けることによって、個々の薬液タンクに貯留されている薬液に関する各種情報を、薬液タンクの外側から容易に視認でき、薬液タンクの各々に貯留されている薬液量を容易に管理できる。この投光手段として、発光ダイオードを採用すると、投光手段を小型化且つ長寿命化を図ることができる。しかも、投光手段を高輝度化でき、薬液タンクと貯留されている薬液とのコントラストを更に向上できる。
更に、複数の薬液タンクの各一面側に設けられている投光手段を、発光色を変更できる可変色投光手段とし、前記可変色投光手段の発光色を制御する制御部を設けることによって、例えば、同一薬液が貯留されている薬液タンク群に対して同一色の光を投光すると共に、異なる薬液が貯留されている各薬液タンクに対して互いに異なる色の光を投光でき、薬液の種類毎にも薬液に関する各種情報を管理できる。
また、使用者は、薬液タンクの接続状況の確認や使用限度回数を超えた薬液タンクの存在を的確且つ容易に知ることができる。この可変色投光手段として、赤色発光ダイオード、緑色発光ダイオード及び青色発光ダイオードのうちの少なくとも二種によって構成することにより、これらの発光ダイオードの組み合わせて種々の色彩の投光色を採用でき、可変色投光手段を高輝度で且つ小型化できる。
更に、複数の薬液タンクを扉付の収容部内に収容し、前記収容部に収容した各薬液タンクの他面側に対応する扉が着色された透明扉とすることによって、扉を閉めた状態で薬液タンクと貯留されている薬液とのコントラストを更に向上でき、薬液タンクの各々に貯留された薬液に関する各種情報を確認できる。
尚、投光手段からの光を遮光する浮き子を薬液タンク内に投入することによって、薬液の比重等の特性を薬液タンクの外側から視認でき、薬液量と薬液濃度との管理を行うことができる。
【０００４】
発明の効果
本発明に係る検体処理装置では、樹脂製の薬液タンクの一方側から投光された光が薬液タンク内に貯留されている薬液内で乱反射し、貯留されている薬液全体が明るくなり、薬液と薬液タンクとのコントラストが向上される。
このため、薬液タンク内に貯留されている薬液の液面を、薬液タンクの他面側から確実に視認でき、薬液タンク内に貯留されている薬液の貯留量を把握できる。
従って、薬液タンク内の薬液の貯留量が少なく、検体処理装置の運転予定時間中に薬液量が不足する可能性がある場合には、薬液タンク内に薬液を追加し或いは薬液が所定量貯留されている薬液タンクと入れ替える等の処置を取ることができる。その結果、検体処理装置が運転中に薬液不足で停止する事態を未然に防止でき、その信頼性を向上できる。
また、投光された光によって薬液タンクとのコントラストが良好な薬液でも、検体処理に複数回使用されと、その薬液中には検体の成分等が混合されて白濁し、投光された光に対する薬液タンクと薬液とのコントラストが低下する。このため、使用者は、薬液タンクと薬液とのコントラストの低下程度によって、薬液の使用限界を容易に知ることができ、薬液の交換等を適切に行って処理された検体の品質を良好に保持できる。
【図面の簡単な説明】
【０００５】
【図１】本発明に係る検体処理装置としての組織片処理装置の部分断面図である。
【図２】図１に示す組織片処理装置の薬液タンクごとに投光手段が設けられている状態を説明する説明図である。
【図３】薬液タンク２４，２４・・ごとに設けた発光ダイオード４８の制御を説明するブロック図である。
【図４】薬液タンク２４の一端側に設けられた投光手段の他の例を説明する説明図である。
【図５】薬液タンクに設けられた接続プラグと仲仕切板に固設された接続ソケットとの構成を説明する部分断面図である。
【図６】組織片処理装置の外観を説明する斜視図である。
【図７】図６に示す組織片処理装置の構成の概要を説明する概略図である。
【図８】従来の薬液タンクに設けられた接続プラグと裏板に固設された接続ソケットとの構成を説明する部分断面図である。
【発明を実施するための最良の形態】
【０００６】
本発明に係る検体処理装置としての組織片処理装置は、その外観が図６に示す組織片処理装置と略同一形状であるため、詳細な説明を省略する。また、ホルマリン、アルコール及びキシレンの各種薬液が予め貯留された、樹脂製で且つ四角形状の薬液タンク２４，２４・・は、図７と同様に、図６に示すタンク収容部１４内に収容されている（本発明に係る組織片処理装置の構成の概要は、図７と同様であり、詳細な説明を省略する）。
タンク収容部１４内に収容された薬液タンク２４は、図１に示す様に、その扉１４ａ側（他面側）に対して反対側（一面側）に設けられた接続プラグ２４ａが、接続ソケット３０ａとワンタッチで接続されている。この接続ソケット３０ａは、タンク収容部１４の中仕切板４２に固設されている。
かかる中仕切板４２の薬液タンク２４の底部側に相当する箇所には、開口部４２ａが形成されており、透明板４４によって覆われている。
更に、中仕切板４２の外側に位置してタンク収容部１４の裏側を形成する裏板４６には、その内壁面の透明板４４に対応する箇所に、図１に示す様に、投光手段が設けられている。この投光手段としては、白熱ランプ、蛍光ランプ、発光ダイオード等の各種発光装置が使用可能である。図１に示す検体処理装置では、投光手段として発光ダイオード４８が設けられている。
かかる発光ダイオード４８は、図２に示す様に、タンク収容部１４に収容されている薬液タンク２４，２４・・の各側面を形成する四面のうちの一面側の底部側に設けられている。
これらの発光ダイオード４８，４８・・の各々のＯＮ―ＯＦＦは、図３に示す制御部１８によって制御されている。この制御部１８は、図６に示す制御部１８のことである。
尚、図３に示すＬＥＤは、発光ダイオードのことである。
この様に、薬液タンク２４の一面側の底部側に発光ダイオード４８を設けることによって、発光ダイオード４８で発光された光は、中仕切板４２の開口部４２ａを覆う透明板４４と薬液タンク２４の一面側の樹脂壁とを通過して、薬液タンク２４内に入射する。薬液タンク２４内に入射した入射光は、貯留されている薬液内で乱反射して、薬液全体があたかも発光しているように明るく見える。このため、薬液タンク２４の他面側（扉１４ａ側）からでも薬液量を薬液タンク２４の外側から視認できる。
また、扉１４ａとしては、薬液タンク２４，２４・・の各一面側を視認できるように透明扉とすることが好ましく、特に、扉１４ａを着色した透明扉とすることによって、薬液タンク２４と発光ダイオード４８の発光によって明るく光る薬液とのコントラストが更に向上されて、薬液量を一層視認し易くできる。
ところで、薬液の屈折率は、薬液特有の値であるため、薬液が異なれば薬液の屈折率が異なる。このため、薬液タンク２４内の薬液が異なると、発光ダイオード４８からの光に対する屈折率の相違によって、その明るさや色彩が異なる。従って、薬液タンク２４に当初予定していた薬液と異なる種類の薬液が貯留されていた場合は、発光ダイオード４８からの光に対する薬液タンク２４に貯留されている薬液の明るさや色彩が異なることによって、異なる薬液が貯留されていることを容易に発見でき、異なる薬液を使用したことによる事故を未然に防止できる。
更に、組織片処理装置での処理を複数回実施し、薬液タンク２４に貯留されている薬液の使用回数が増加すると、他の薬液の混合比率が高まる。この場合も、発光ダイオード４８からの光に対する薬液タンク２４に貯留されている薬液の明るさや色彩の変化によって、他の薬液の混合比率が高まることによる薬液の濃度変化を知ることができる。
また、薬液タンク２４に貯留されている薬液の使用回数が増加すると、組織片の成分等が混合されて白濁し、発光ダイオード４８からの光に対する薬液タンク２４と薬液とのコントラストが低下する。このため、使用者は、薬液タンク２４と薬液とのコントラストの低下程度によって、薬液の使用限界を容易に知ることができ、薬液の交換等を適切に行って処理された組織片の品質を良好に保持できる。
尚、薬液の濃度変化を更に厳密に管理すべく薬液が貯留されている薬液タンク２４には、発光ダイオード４８からの光を遮光する浮き子を投入しておくことによって、浮き子の沈降程度を薬液タンク２４の外側から確認し、薬液の濃度を知ることができる。
また、発光ダイオード４８として、赤色発光ダイオード、緑色発光ダイオード又は青色発光ダイオードを用いた場合、薬液タンク２４の薬液全体が発光ダイオード４８の発光色で薬液全体が所定色で明るく見える。このため、薬液タンク２４，２４・・の各々に貯留される薬液の種類ごとに対応する発光色の発光ダイオード４８を設けることによって、薬液タンク２４の外側から薬液の種類ごとに薬液量を容易に管理できる。
更に、図４に示す様に、薬液タンク２４の一面側に、赤色発光ダイオード４８ａ、緑色発光ダイオード４８ｂ及び青色発光ダイオード４８ｃを設け、各発光ダイオードの発光程度を制御部１８（図６）によって制御して所定の色彩の光を薬液タンク２４に投光できる。このため、例えば、薬液タンク２４，２４・・の各々に、赤色発光ダイオード４８ａ、緑色発光ダイオード４８ｂ及び青色発光ダイオード４８ｃを設け、制御部１８によって発光ダイオードの組み合わせを変更することによって投光色を種々の色彩とすることができる。
このため、例えば、同一薬液が貯留されている薬液タンク２４，２４・・から成る薬液タンク群に対して同一色の光を投光すると共に、異なる薬液が貯留されている薬液タンク２４，２４・・に対して互いに異なる色の光を投光するように、各薬液タンク２４に設けた赤色発光ダイオード４８ａ、緑色発光ダイオード４８ｂ及び青色発光ダイオード４８ｃを制御することによって、使用者は薬液ごとに薬液タンク２４内に貯留されている薬液量を容易に視認できる。また、使用者は、薬液タンク２４，２４・・ごとの接続状況の確認や使用限度数を超えた薬液タンクの存在を的確に知ることができる。
かかる赤色発光ダイオード４８ａ、緑色発光ダイオード４８ｂ及び青色発光ダイオード４８ｃが内装された発光装置を用いることができる。
ここで、図１〜図４に示す組織片処理装置では、薬液タンク２４，２４・・の各々に発光手段としての発光ダイオード４８を設けているが、複数個の発光ダイオード４８，４８，４８・・を集合させた集合体を、複数の薬液タンク２４，２４・・の一面側に設けてもよい。
また、図１〜図４に示す組織片処理装置では、薬液タンク２４，２４・・の各一面側の底部側に発光ダイオード４８を設けているが、薬液タンク２４の複数面（二面側）に発光ダイオード等の発光手段を設けてもよい。
更に、赤色発光ダイオード４８ａ、緑色発光ダイオード４８ｂ及び青色発光ダイオード４８ｃのうち、少なくとも二種を組み合わせてもよい。
図１に示す薬液タンク２４の接続プラグ２４ａは、中仕切板４２に固設されている接続ソケット３０ａとワンタッチで接続されている。かかる接続プラグ２４ａは、図５に示す様に、給液口５０の外周壁５０ａに取り付けるために内壁側にネジ溝が形成された取り付け部５２と、給液チューブ５４に接続されて薬液を流通させる薬液通路５６と、薬液タンク２４内に発生するガスを排気するためにガスを流通させる排ガス通路５８とを具備している。排ガス通路５８は、薬液通路５６の径方向の外方に配置されている。
また、薬液通路５６の先端部である出口側端部５６ａは、排ガス通路５８の先端部である出口側端部５８ａよりも突出して形成されている。このため、排ガス通路５８は、薬液通路５６よりも大径に形成されている。
かかる接続プラグ２４ａは、取り付け部５２によって、給液口５０の外周壁５０ａに対してねじ込み式に取り付けられる。
薬液通路５６の出口側端部５６ａの外周壁と、排ガス通路５８の外側の外周壁５８ｂにはシール用のＯリング６０，６０が取り付けられている。このため、接続プラグ２４ａを接続ソケット３０ａに接続した際に、接続プラグ２４ａと接続ソケット３０ａとの間からの薬液やガスの漏れを防ぐことができる。
更に、排ガス通路５８の外側の外周壁には、周方向に溝部６２が形成されている。この溝部６２は後述するロック機構として用いられる。
接続プラグ２４ａと接続される接続ソケット３０ａには、接続プラグ２４ａが挿入される挿入口部６４が中仕切り板４２に固設されている。挿入口部６４の内径は、接続プラグ２４ａの排ガス通路５８の外側の外周壁まで挿入可能な径に形成されている。挿入口部６４の内側には、その内壁面よりも内方へ突出するように成形されたＣ形リング６６が設けられている。Ｃ形リング６６は、通常は挿入口部６４の内壁面よりも内方へ突出する径に形成されているが、接続プラグ２４ａが挿入されたときには、外方へ広げられて接続プラグ２４ａの溝部６２内に嵌まり込み、抜け止めとなる。
また、送液管２８（図７）へ連通している薬液管路６８は、接続プラグ２４ａの薬液通路５６が挿入可能な径を有する筒状の挿入部７０と、挿入部７０よりも奥部側に設けられ、挿入された薬液通路５６の先端部に押動されたときに薬液通路５６と薬液管路６８とに亘って流路を開く逆止弁７２が設けられている。逆止弁７２は、薬液管路６８内に挿入部７０側方向にスプリング７６によって付勢されている弁体７１及び弁体７１と一体に形成されて接続プラグ２４ａの薬液通路５６の先端部に当接する筒状の押動部７４とが設けられている。弁体７１の挿入部７０側の面には、凹部７８が形成されている。かかる逆止弁７２を設けることによって、接続プラグ２４ａに接続ソケット３０ａが装着されていない場合、弁体７１が薬液管路６８に形成した狭窄部の内壁面に当接して薬液管路６８を閉塞しており、薬液の液止めを行うと共に液垂れを防止する。
更に、挿入部７０の外方には、所定の間隔の隙間８２をおいて挿入部７０を覆うハウジング８０と排ガスヘッダー３０とが設けられている。この挿入部７０の外壁とハウジング８０の内壁との間の隙間８２と、この隙間８２と排ガスヘッダー３０とを連通させるようにハウジング８０の側面に穿設された連通穴８４とが、接続プラグ２４ａの排ガス通路５８と連通する排ガス管路である。
かかる薬液タンク２４に設けられた接続プラグ２４ａと接続ソケット３０ａとの接続は、接続プラグ２４ａを接続ソケット３０ａ内にスプリング７６の付勢力に抗して押し込み、接続ソケット３０ａに設けられているＣ形リング６６が接続プラグ２４ａの溝部６２内に嵌まり込ませてロック状態とすることによって行うことができる。
他方、薬液タンク２４に設けられた接続プラグ２４ａと接続ソケット３０ａとの接続を解除する際には、接続プラグ２４ａを引き抜くことによって、Ｃ形リング６６と溝部６２とのロック状態を解除することによって行うことができ、薬液タンク２４を新しい薬液タンク２４と交換できる。
以上、説明してきた組織片処理装置では、検体としての組織片に所定の処理を施していたが、血液等の体液をプレパラートに塗布した検体の染色処理等にも適用できる。
【図１】
2009008331.tif 000003
【図３】
2009008331.tif 000004
【図４】
2009008331.tif 000005
【図５】
2009008331.tif 000006
【図６】
2009008331.tif 000007
【図７】
2009008331.tif 000008
【図８】
2009008331.tif 000009
【図２】
2009008331.tif 000010
【国際調査報告】
2009008331.tif 000011
2009008331.tif 000012
2009008331.tif 000013
2009008331.tif 000014